(57)【要約】【課題】  磁場を用いて筐体に対して開閉可能に設けられた可動部の開閉検知を行う電子機器において、可動部内に専用部品を配置せずに開閉検知を行うことができるようにする。【解決手段】  筺体と、当該筺体に対して開閉可能に設けられた可動部とを備えた電子機器であって、筺体は、可動部の回転中心の近傍に配置される磁気を帯びた部材と、磁場を検出する磁場検出手段と、磁場検出手段の検出結果に基づいて可動部の開閉状態を判断する判断手段と、を有し、可動部は、一方の端が前記可動部の回転中心近傍に配置される板金と、を有していて、板金は、磁気を帯びた部材の磁気により磁化されていて、磁場検出手段は、可動部が筺体に対して閉じた状態における板金の他方の端の近傍に配置されている。【選択図】  図４
2012083562.tif 000002
【特許請求の範囲】
【請求項１】
筺体と、当該筺体に対して開閉可能に設けられた可動部とを備えた電子機器であって、
前記筺体は、
前記可動部の回転中心の近傍に配置される磁気を帯びた部材と、
磁場を検出する磁場検出手段と、
前記磁場検出手段の検出結果に基づいて前記可動部の開閉状態を判断する判断手段と、を有し、
前記可動部は、
一方の端が前記可動部の回転中心の近傍に配置される板金と、を有していて、
前記板金は、前記部材の磁気により磁化されていて、前記磁場検出手段は、前記可動部が前記筺体に対して閉じた状態における前記板金の他方の端の近傍に配置されていることを特徴とする電子機器。
【請求項２】
前記板金は、前記一方の端よりも前記他方の端のほうが細い形状であることを特徴とする請求項１に記載の電子機器。
【請求項３】
前記可動部は、前記筺体に設けられた、前記電子機器に着脱可能な外部機器を収納するための収納部の開口を開閉する蓋であることを特徴とする請求項１または２に記載の電子機器。
【請求項４】
前記部材は、音声を出力するスピーカーであることを特徴とする請求項１ないし３のいずれか１項に記載の電子機器。
【請求項５】
前記筺体は、前記可動部の回転中心となる軸と、前記部材及び前記軸と当接している第２の板金と、を有してして、
前記板金は、前記第２の板金及び前記軸を介して磁化されていることを特徴とする請求項１ないし４のいずれか１項に記載の電子機器。
【発明の詳細な説明】
【技術分野】
【０００１】
本発明は、筐体に対して開閉可能に設けられた可動部を有する電子機器に関するものであり、可動部の開閉検知に関するものである。
【背景技術】
【０００２】
従来の電子機器、例えば撮像装置では、撮影した画像を記録する外部記録メディアを挿入するためのメディア収納部を筐体内に有するものがある。このような撮像装置は、メディア収納部に収納された外部記録メディアが筐体内から脱落することを防止するために、メディア収納部の開口を開閉する蓋部を設けている。同様に、駆動用バッテリを収納するバッテリ収納部を有する場合には、駆動用バッテリが筐体内から脱落することを防止するために、バッテリ収納部の開口を開閉する蓋部を設けている。
【０００３】
また、このような蓋部が設けられた構成であっても、蓋部が開いている状態では外部記録メディアや駆動用バッテリが筺体内から脱落する可能性がある。例えば、外部記録メディアへのアクセス中に外部記録メディアが筺体内から脱落した場合、誤作動を起し、記録中の画像データが記録されなかったり、既に記録されていた画像データが破損したりしてしまう。そのような誤動作を防止するために、外部記録メディアが筺体内から脱落する可能性がある場合には外部記録メディアへのアクセスを禁止する制御を行う撮像装置もある。
【０００４】
このような撮像装置では、外部記録メディアが筺体内から脱落する可能性があるか否かを判断するために蓋部の開閉検知を行う必要があり、蓋部の開閉検知に関する技術も提案されている。例えば特許文献１には、蓋部に磁石を配置し、筐体に磁場検出素子を配置して磁場検出素子の検出結果に基づいて蓋部の開閉検知を行う技術が記載されている。
【先行技術文献】
【特許文献】
【０００５】
【特許文献１】特開２００１−２５１０６４号公報
【発明の概要】
【発明が解決しようとする課題】
【０００６】
しかしながら、上述の特許文献１に記載された技術では、可動部である蓋部内に磁石を配置する必要がある。可動部内に開閉検知を行うための専用部品を配置する事は部品数の増加となるとともに、製品の小型化を阻害してしまう。
【０００７】
そこで、本発明は、磁場を用いて筐体に対して開閉可能に設けられた可動部の開閉検知を行う電子機器において、可動部内に専用部品を配置せずに開閉検知を行うことができるようにすることを目的とする。
【課題を解決するための手段】
【０００８】
上記の目的を達成するために、本発明にかかる電子機器は、筺体と、当該筺体に対して開閉可能に設けられた可動部とを備えた電子機器であって、前記筺体は、前記可動部の回転中心の近傍に配置される磁気を帯びた部材と、磁場を検出する磁場検出手段と、前記磁場検出手段の検出結果に基づいて前記可動部の開閉状態を判断する判断手段と、を有し、前記可動部は、一方の端が前記可動部の回転中心近傍に配置される板金と、を有していて、前記板金は、前記部材の磁気により磁化されていて、前記磁場検出手段は、前記可動部が前記筺体に対して閉じた状態における前記板金の他方の端の近傍に配置されていることを特徴とする。
【発明の効果】
【０００９】
本発明によれば、磁場を用いて筐体に対して開閉可能に設けられた可動部の開閉検知を行う電子機器において、可動部内に専用部品を配置せずに開閉検知を行うことができる。
【図面の簡単な説明】
【００１０】
【図１】本発明の実施形態にかかる撮像装置を前面側から見た斜視図。
【図２】本発明の実施形態にかかる撮像装置を背面側から見た斜視図。
【図３】本発明の実施形態にかかる撮像装置の蓋を開いた状態を背面側から見た斜視図。
【図４】本発明の実施形態にかかる撮像装置を図２に示す断面Ａにて切断した断面図。
【図５】本発明の実施形態にかかる撮像装置の蓋を開いた状態を図２に示す断面Ａにて切断した断面図。
【発明を実施するための形態】
【００１１】
以下、図面を用いて本発明にかかる実施形態について説明する。
【００１２】
図１は、本発明にかかる実施形態である電子機器としての撮像装置１を前面側（被写体側）から見た斜視図である。撮像装置１の筺体の前面には、被写体が暗い場合などに必要に応じて発光するストロボ発光部１１、撮影レンズを含むレンズ鏡筒１２などが配置されている。
【００１３】
また、撮像装置１の筺体の上面には、撮影レンズのズーム動作を指示するための操作が行われるズームレバー１３、撮影指示を行うための操作が行われるレリーズボタン１４などが配置されている。
【００１４】
ズームレバー１３への操作に応じて撮影者の所望する撮影画角が設定され、レリーズボタン１４への操作によって撮影動作が開始されると、レンズ鏡筒１２を介して入射した被写体像が不図示の撮像素子に取り込まれる。取り込まれた被写体像は、不図示の演算回路によって画像データに処理された後に、後述の着脱可能な記録媒体７に記録される。また、撮像装置の内部には、後述の磁場検出部の検出結果に基づいて蓋２の開閉状態を判断する不図示のＣＰＵが設けられている。
【００１５】
図２は、撮像装置１を背面側（撮影者側）から見た斜視図である。撮像装置１の筺体の側面には、記録媒体７を収納する後述の記録媒体収納部８の開口を開閉する蓋２が配置されている。また、蓋２の近傍には磁気を帯びた部材である後述のスピーカー６から発する音を拡散させるためのスピーカー穴２０が配置されている。
【００１６】
撮像装置１の筺体の底面には、撮像装置１を駆動させるための着脱可能な駆動バッテリを収納する電池収納部の開口を開閉する電池蓋１５が配置されている。
【００１７】
図３は、撮像装置１の蓋２を開いた状態を背面側から見た斜視図である。蓋２を開くことによって、記録媒体収納部８の開口である開口部２１から記録媒体７を撮像装置１の筺体に対して挿抜することができる。また、蓋２の内面には一方の端が後述の軸４の近傍な配置された板金３が設けられている。また、板金３は、軸４の近傍となる一方の端よりも他方の端のほうが細い形状をしている。
【００１８】
図４は、撮像装置１を図２に示す断面Ａにて切断した断面図である。蓋２は磁気を帯びることによって磁化された板金３と一体になっていて、軸４を回転中心にして回転可能となるように筺体に取り付けられている。軸４は軸押さえ板金５（第２の板金）を介して筐体に取り付けられている。軸押さえ板金５の近傍には磁気を帯びた部材であり、音声を出力するスピーカー６が配置されており、軸押さえ板金５の一部はスピーカー６の磁気を帯びた部分に近接するように配置されている。着脱可能な記録媒体７は記録媒体収納部８に収納され、蓋２を閉じることで筺体内から記録媒体７が脱落することを防止できる。
【００１９】
また、筺体内の基板１０上に設けられた磁場検出部９は、蓋２を閉じた状態における板金３の先端部３ａの近傍の位置に配置されている。
【００２０】
図４に示すように蓋２を閉じた状態では、磁気を帯びた部材であるスピーカー６に近接する軸押さえ板金５はスピーカー６の影響を受けて磁化される。加えて、軸４は軸押さえ板金５に当接して取り付けられる部品であるため軸４も磁化される。さらに、板金３は軸４に当接して取り付けられている部品であるため板金３も磁化される。
【００２１】
また、板金３は軸４から遠ざかるほど細い形状となっているため、先端部３ａは他の部分と比べて磁束が密となり、磁力を高める事が可能な形状となっている。そのため、蓋２を閉じた状態では、磁化された板金３の先端部３ａの磁束は十分な大きさとなり、磁場検出部９により先端部３ａからの磁場を検出することができる。このように、磁場検出部９が磁場を検出すると蓋２が閉じた状態であるとＣＰＵは判断する。
【００２２】
一方、図５に示すように蓋２を開いた状態では、板金３の先端部３ａと磁場検出部９とが十分離れるため、先端部３ａからの磁束を磁場検出部９で検出できなくなる。このように、磁場検出部９が磁場を検出できないと蓋２が開いた状態であるとＣＰＵは判断する。
【００２３】
以上のように、蓋２の開閉状態に応じて磁場検出部９の検出結果が異なるため、磁場検出部９の検出結果に基づいて蓋２の開閉検知か可能となる。そのため、記録媒体７へのアクセス制御など、蓋２の開閉状態に合わせて適切な制御を行うことができる。
【００２４】
また、板金３、軸４、軸押さえ板金５、スピーカー６などのような、蓋２を筺体に対して開閉可能に保持するための部品及び撮像装置１の他の機能のための部品で開閉検知に用いる磁場を発生させるため、開閉検知を行うための専用部品を蓋２に配置する必要がない。すなわち、蓋２に磁場を発生させる磁石のような専用部品を配置する必要がないため、蓋２を小型化することができ、電子機器の小型化に寄与することができる。
【００２５】
なお、本実施形態では、板金３を磁化するために、板金３と磁気を帯びた部材であるスピーカー６との間に軸４及び軸押さえ板金５を介しているが、板金３が筺体内の磁気を帯びた部材と当接することで板金３を磁化する構成であってもよい。
【００２６】
また、本実施形態では、筺体内に設けられた磁気を帯びた部材としてスピーカーを例示したが、例えば、磁石やその他の電子部品、構造体などであってもよい。
【００２７】
また、本実施形態では、記録媒体を収納する収納部の蓋の開閉検知に用いた場合を説明したが、電子機器の筺体に対して開閉可能に設けられた可動部であれば他の箇所の開閉検知に用いてもよい。また、電子機器に着脱可能な外部機器を収納する収納部の開口を開閉する蓋であれば、上述した記録媒体を収納する収納部の蓋ではなく、駆動バッテリを収納する収納部の蓋などの開閉検知に用いてもよい。また、撮像装置以外の電子機器に用いてもよい。
【符号の説明】
【００２８】
１  撮像装置
２  蓋
３  板金
４  軸
５  軸押さえ板金
６  スピーカー
７  記録媒体
９  磁場検出部
【図１】
2012083562.tif 000003
【図２】
2012083562.tif 000004
【図３】
2012083562.tif 000005
【図４】
2012083562.tif 000006
【図５】
2012083562.tif 000007